(57)【要約】【課題】織機でよこ糸を制動するための制御された糸ブレーキ、及び最新技術よりも短い反応時間を有し、比較的経済的に製造できる糸ブレーキを備える織機を利用可能にすること。【解決手段】織機のよこ糸１０を制動するための制御された糸ブレーキが提示され、該糸ブレーキがブレーキ・バンド３及びブレーキ本体２を備え、前記糸ブレーキ１がさらに電磁石６、及び電磁石によって動かすことができる回転可能な又は揺動式のレバー４を備える。レバー４は、ブレーキ・バンド３に連結され、それによって、よこ糸を制動するためにブレーキ・バンドをブレーキ本体２に押し付けることができるようにするために、電磁石６によってブレーキ・バンドの長手方向に引く力を働かせることができるようにする。【選択図】図１
2007197893.tif 000002
【特許請求の範囲】
【請求項１】
ブレーキ・バンド（３）及びブレーキ本体（２）を備える、織機のよこ糸（１０）を制動するための制御された糸ブレーキであって、前記糸ブレーキ（１）が電磁石（６、６’）、及び回転可能な又は揺動式のレバー（４）を備え、該レバーが、前記ブレーキ・バンドの長手方向に引く力を働かせ、また、前記よこ糸を制動するために前記ブレーキ・バンドを前記ブレーキ本体（２）に対して置くために、前記電磁石によって動かすことができ、前記ブレーキ・バンド（３）に動作的に連結されていることを特徴とする糸ブレーキ。
【請求項２】
前記糸ブレーキが２つ又はそれより多いブレーキ本体（２）を備え、及び／又は１つ又は複数の前記ブレーキ本体（２）が受動的なブレーキ要素として形成されている、請求項１に記載の糸ブレーキ。
【請求項３】
前記ブレーキ・バンド（３）が、第１の固定点、特に一方の端部でホルダ（８）に堅固に又は弾力的に連結され、長手方向に間隔を置いて、第２の固定点、特に他方の端部で前記レバー（４）に堅固に又は弾力的に連結されている、請求項１又は２に記載の糸ブレーキ。
【請求項４】
前記糸ブレーキを解放するためのばね要素、特に前記レバー及び／又は予め応力を与えられたブレーキ・バンド（３）の回転の点で前記レバー（４）及び／又は脚ばねに作用する引張りばね又は圧縮ばねを有する、請求項１から３のいずれか一項に記載の糸ブレーキ。
【請求項５】
前記レバー（４）が真直ぐ又は角度を付けられ、及び／又は前記レバー（４）が前記ブレーキ・バンド（３）に実質的に直角に配置されている、請求項１から４のいずれか一項に記載の糸ブレーキ。
【請求項６】
前記レバー（４）の回転の点が、たとえば、前記ブレーキ・バンド（３）と前記電磁石（６）の間、及び／又は前記ブレーキ・バンドの側又は前記電磁石の側の一方の側に配置されている、請求項１から５のいずれか一項に記載の糸ブレーキ。
【請求項７】
前記電磁石（６、６’）のアーマチュア（５）が前記レバー（４）に設けられ、前記アーマチュアが、強磁性体又は永久磁石材料を含み、及び／又は前記レバー（４）又はその一部分がアーマチュア（５）として形成され、及び／又は前記電磁石（６、６’）がＵ字形コアを有し、又はポット・マグネットとして形成され、磁界が前記アーマチュア（５）を通過する、請求項１から６のいずれか一項に記載の糸ブレーキ。
【請求項８】
少なくとも１つの第２の電磁石（６’）を備え、それによって前記レバー（４）及び／又は前記ブレーキ・バンド（３）を移動することができ、前記少なくとも１つの第２の電磁石（６’）が解放磁石として、及び／又は前記第１の電磁石（６）を補助するために設けられている、請求項１から７のいずれか一項に記載の糸ブレーキ。
【請求項９】
エアギャップが、制動中に前記アーマチュア（５）と１つ又は複数の電磁石（６、６’）との間にもたらされる、請求項１から８のいずれか一項に記載の糸ブレーキ。
【請求項１０】
請求項１から９のいずれか一項に記載の少なくとも１つの糸ブレーキを備える織機。
【発明の詳細な説明】
【技術分野】
【０００１】
本発明は、請求項１の序文による、織機内でよこ糸を制動するための制御された糸ブレーキに関し、この種類の糸ブレーキを備える織機に関する。
【背景技術】
【０００２】
織機では、糸ブレーキは通常、よこ入れの端部でよこ糸を制動するためによこ糸用の供給ボビンと杼口の間に設けられている。より最近の織機は、制御された糸ブレーキが設けられ、その糸ブレーキは、所望されるいかなるよこ入れの段階の間でもよこ糸を制動できるようにする。文献、欧州特許出願公開公報第０４７５８９２号は、ブレーキ・バンド及び可動ブレーキ本体を有するこの種類の糸ブレーキを開示しており、その糸ブレーキは設定モータの回転動作がブレーキ本体のストローク動作に変換される様式で設定モータに連結されている。この様式で、ブレーキを掛ける時点、及び設定モータを介してよこ糸に働くブレーキ力の両方を制御することが可能である。欧州特許出願公開公報第０４７５８９２号に開示された糸ブレーキの欠点は、それがよこ入れの個々の段階の継続期間と比べて遅い、すなわち制御信号が設定モータに加えられた場合に一般に３０ｍｓ又はそれより多い遅延を伴ってやっとブレーキ作動が起こることである。したがって、より高いよこ入れ率においては現在のよこ糸のデータの結果としてブレーキを調整することはできず、又は少なくとも、かなり困難である度合いが増加する。別の欠点は、この糸ブレーキの比較的高い製造コストによって表される。
【発明の開示】
【発明が解決しようとする課題】
【０００３】
本発明の目的は、織機内でよこ糸を制動するための制御された糸ブレーキ、及び上述の最新技術よりも短い反応時間を有し、比較的経済的に製造できる、このような種類の糸ブレーキを備える織機を利用可能にすることである。
【課題を解決するための手段】
【０００４】
この目的は請求項１に定義される糸ブレーキ、及び請求項１０に定義される織機によって本発明に従って満たされる。
【０００５】
織機内でよこ糸を制動するための本発明による制御された糸ブレーキは、たとえば可縮性又は可撓性のブレーキ・バンド、及びたとえば固定式であり、及び／又は定位置に配置できるブレーキ本体を備えている。さらに、糸ブレーキは、電磁石、及び回転可能な又は揺動式のレバーを備え、そのレバーは、電磁石によって動かすことができ、ブレーキ・バンドの長手方向に引く力を働かせることができるように、また、よこ糸を制動するためにブレーキ・バンドをブレーキ本体に置き、又はそこに押し付けるためにブレーキ・バンドに動作的に連結されている。有利な変形では、糸ブレーキは、２つ又はそれより多いブレーキ本体を備え、別の有利な変形では、１つ又は複数のブレーキ本体が丸みを付けた形を与えられ、及び／又は受動的なブレーキ部材として形成されている。
【０００６】
ブレーキ・バンドは、第１の固定点、たとえばブレーキ・バンドの一方の側でホルダに堅固に又は弾力的に連結されることができ、長手方向にそれから間隔を置いて、たとえば他方の側でレバーに堅固に又は弾性的に連結されている。有利な実施例では、糸ブレーキがそれを解放するためのばね要素、たとえば、レバーの回転の点でレバー及び／又は脚ばねに作用する引張りばね又は圧縮ばねを備えている。ブレーキ・バンドは、それが糸ブレーキを解放するためのばね要素として作用するように、任意で偏倚張力を与えられることもできる。
【０００７】
レバーは任意に真直ぐにし、又は角度をつけることができる。レバーの回転の点は、たとえば、ブレーキ・バンドと電磁石の間、又はブレーキ・バンドの側又は電磁石の側の一方の側に配置できる。有利な変形では、レバーが実質的にブレーキ・バンドに対して直角に配置されている。
【０００８】
有利な実施例では、アーマチュアが電磁石のレバーに備えられ、たとえばそこではレバー又はその一部分がアーマチュアとして形成され、前記アーマチュアは、強磁性体又は永久磁石材料を含む。必要であれば、糸ブレーキは、少なくとも１つの第２の電磁石を備えることができ、それによってレバー及び／又はブレーキ・バンドを動かすことができ、たとえばそれは、解放磁石として、及び／又は第１の電磁石を補助するために使用することができる。別の有利な実施例では、電磁石はＵ字形コアを有し、又は電磁石はポット・マグネットとして形成され、磁界がアーマチュアを通過する。
【０００９】
別の有利な実施例では、制動中にアーマチュアと１つ又は複数の電磁石との間にエアギャップがもたらされる。このようにして、電磁石中を流れる電流を介して制動中に制動力を設定することが可能である。
【００１０】
さらに、本発明は上記に述べた実施例のうちのいずれか１つによる少なくとも１つの糸ブレーキを有する織機を含む。
【００１１】
本発明による糸ブレーキは、迅速に反応する糸ブレーキであり、そのブレーキは特に、よこ糸の挿入速度がたとえば５００挿入／分以上の速度で迅速に稼動する織機に適している。移動部品が移動する通路は、達成できる反応時間が１０ｍｓより少なくなるように、短く、たとえば、１ｍｍ又はそれより短く保つことができる。さらに、ブレーキ力がほぼ電流に比例し、制動中のブレーキ力は電磁石を通って流れる電流によって制御することができる。これは、本発明による糸ブレーキが、特に迅速に稼動する織機においても同様に、現在測定されるよこ糸のデータの結果として、制動の調整を可能にすることを意味する。同様にして有利であるのは、その調整可能なブレーキ力の範囲が大きいことであり、それによって、織目の細かいヤーンから粗いヤーンまでヤーン全体の範囲で実際にそれを使用することができるようになる。さらに本発明による糸ブレーキは、ブレーキが掛けられたとき、ブレーキ・バンドがブレーキ本体を打ちつけるように、ブレーキ・バンドが１から２ｍｍだけ開放する場合に有用なセルフ・クリーニング効果を有する。別の利点は、記述された糸ブレーキの比較的好ましい製造コスト、及び簡単で経済的な制御によって代表される。
【００１２】
実施例の上記の記述は、例としての役割を果たすに過ぎない。別の有利な実施例は、独立請求項及び図面に起因する。さらに、本発明の文脈では、記述され又は例示された実施例からの個別の特徴及び変形は、新しい実施例を形成するために互いに結びつくこともできる。
【実施例】
【００１３】
本発明は、例示実施例を参照し、図面を参照して下記により詳細に説明される。
【００１４】
図１は本発明による糸ブレーキの例示実施例の斜視図を示し、図２はその側面図を示す。織機でよこ糸１０を制動するための図示された糸ブレーキ１は、たとえばスチール・バンドとして、可撓性の及び／又は弾性のあるバンドとして設計することができるブレーキ・バンド３、及び好ましくは、たとえば上面のセラミック・プレート、又はセラミック材料又は硬質クロムのコーティングなどの耐摩耗性の表面を備えるブレーキ本体２を備える。さらに、例示実施例の糸ブレーキ１は、電磁石６、及び回転可能な又は揺動式のレバー４を備え、そのレバーは、ブレーキ・バンドの長手方向に引く力を働かせることができるように、また、よこ糸１０を制動するためにブレーキ・バンドをブレーキ本体２に置くために、電磁石によって動かすことができ、またブレーキ・バンド３に動作的に連結されている。当然のことながら、２つ又はそれより多くのブレーキ本体を設けることもできる。１つ又は複数のブレーキ本体は、受動的なブレーキ要素として有利に形成される。
【００１５】
ブレーキ・バンドは、第１の固定点、たとえばブレーキ・バンドの一方の端部でホルダ８に堅固に又は弾力的に連結され、長手方向に間隔を置いて、第２の固定点、特に他方の端部でレバー４に堅固に又は弾力的に連結されうる。有利な実施例では、糸ブレーキは、たとえば、レバーの回転の点でレバー及び／又は脚ばねに作用する引張りばね又は圧縮ばねなどの、電流のスイッチが切られたとき糸ブレーキを解放できるようにするためのばね要素を備えている。ブレーキ・バンドは、それが糸ブレーキを解放するためのばね要素として有効であるように、任意で偏倚張力を与えられることもできる。図１及び図２に示される例示実施例では、電磁石６がブレーキ・バンドの長手方向にレバー４を介して力を働かせる場合にブレーキ・バンドがブレーキ本体２に対して置かれるように、ブレーキ・バンドはブレーキ本体２によってわずかに撓まされることができ、ブレーキ・バンドとブレーキ本体の間に挿入されるよこ糸１０が締め付けられる。
【００１６】
図１及び図２に示されるように、レバー４は、真直ぐであることができ、レバーの回転の点は、ブレーキ・バンドと電磁石の間に配置されている。しかし、角度を付けたレバーを提供し、及び／又はレバーの回転の点をブレーキ・バンドの側又は電磁石の側の一方の側に配置することも可能である。図示された例示実施例では、レバー４は実質的にブレーキ・バンド３に直角に配置され、ブレーキ・バンドはレバーに固定されている。
【００１７】
有利な実施例では、電磁石６のアーマチュア５がレバー４に備えられ、たとえばそこではレバー又はその一部分がアーマチュアとして形成されている。アーマチュア又はアーマチュアとして形成されたレバーの部分５は、たとえば軟磁性鋼など、又は永久磁石材料の場合にはたとえばＡＬＮＩＣＯなどの強磁性体又は永久磁石材料の磁気的に活性な領域を都合よく含んでいる。永久磁石材料がアーマチュアに備えられている場合、電流の流れを逆にすることによってブレーキ・バンドを解放するために電磁石を使用することもできる。電磁石は有利にＵ字形コアを有し、又は電磁石はポット・マグネットとして有利に形成され、磁気回路はエアギャップを除いて電磁石の励磁によってアーマチュアによって閉じられる。
【００１８】
図１及び図２は制動中の糸ブレーキ１を示し、すなわちブレーキ・バンド３がブレーキ本体２と接触した状態になり、よこ糸１０がブレーキ・バンドとブレーキ本体の間に締め付けられるように電磁石がレバー４を介してブレーキ・バンド３を引張っている。図示された例示実施例では、制動中にアーマチュア５と電磁石６の間にエアギャップが存在する。このようにして、ブレーキ力がおおよそ電流に比例して、電磁石を通って流れる電流によって制動中のブレーキ力を設定することが可能である。
【００１９】
図３Ａは、本発明による糸ブレーキの第２の例示実施例の制動中の側面図を示す。図３Ａに示される糸ブレーキは、第２の電磁石６’についてのみ図１と図２に示されるものと異なる。図１及び図２を記述した文脈により詳細に説明されたように、糸ブレーキ１は、ブレーキ・バンド３及びブレーキ本体２、並びに第１の電磁石６及び回転可能な又は揺動式のレバー４をさらに備え、そのレバーは、ブレーキ・バンドの長手方向に引く力又は圧力を働かせることができるようにするためにブレーキ・バンド３に動作的に連結されている。第２の例示実施例では、レバー４は、２つの電磁石６、６’によって動かされることができ、それによって、たとえば上述したように、たとえば第１の電磁石を制動用に使用し、たとえば第２の電磁石をブレーキ・バンドの解放用に使用することができる。
【００２０】
図３Ａでは、制動中の糸ブレーキ１が示され、すなわち第１の電磁石６がレバー４によってブレーキ・バンド３を引っ張り、それによってブレーキ・バンドがブレーキ本体と接触した状態になるようにし、よこ糸１０がブレーキ・バンドとブレーキ本体の間に締め付けられている。図３Ａに示される例示実施例では、対照的に、第２の電磁石６’が制動中にスイッチを切られる。第１の電磁石６とアーマチュア５の間のエアギャップの重要性は、第１の例示実施例を記述した文脈ですでに論じた。
【００２１】
有利な変形では、レバー４の一部分がアーマチュア５として形成され、それによって２つの電磁石を、それぞれ、エアギャップを電磁石とアーマチュアの間に有して、たとえばアーマチュアの両側に位置する側面に配置することができる。Ｕ字形コア又はポット・コアの代わりに、たとえば、磁力的に伝導するヨークを設け、その上に２つの電磁石を配置し、それによってヨークが、エアギャップを除いて電磁石６、６’及びアーマチュア５と共に閉じた磁気回路を形成するようにすることもできる。
【００２２】
図３Ｂは、図３Ａに示される例示の実施例の側面図を糸ブレーキが解放された状態で示す。図３Ｂに示される糸ブレーキは、第２の電磁石６’の励磁及びレバー４の位置、並びにブレーキ・バンド３の状態についてのみ図３Ａに示されるものと異なる。図３Ｂでは、ブレーキ・バンドがブレーキ本体２から持ち上げられ、ギャップが一般に１から２ｍｍになって、よこ糸１０が妨害なくブレーキ・バンドとブレーキ本体の間のギャップを通って導かれることができるように、第２の電磁石６’がレバー４によってブレーキ・バンド３を開放する。それとは対照的に、第１の電磁石６は、図３Ｂに示される例示実施例で糸ブレーキの解放又は開放中にスイッチを切られる。解放中に第２の電磁石６’とアーマチュア５の間にエアギャップを設けることができるが、解放中は力の調整をしないで済むので、それは多くの場合必要でない。
【００２３】
本発明による、よこ糸を制動するための制御された糸ブレーキは、たとえばプロジェクタイル織機及びレピア織機などの異なる織機のタイプに使用することができ、同時に、レバー及びブレーキ・バンドが移動する通路を短く保つことができ、糸ブレーキがそれに対応して迅速に反応するので、特に迅速に稼動する織機にも適していることは有利である。したがって、糸ブレーキが、そのブレーキ力の範囲が大きいおかげで、非常に粗いヤーンにも適していることはさらに有利である。
【図面の簡単な説明】
【００２４】
【図１】本発明による糸ブレーキの例示実施例の斜視図である。
【図２】同じ例示実施例の側面図である。
【図３Ａ】制動中の本発明による糸ブレーキの第２の例示実施例の側面図である。
【図３Ｂ】糸ブレーキが解放された、図３Ａに示される例示実施例の側面図である。
【図１】
2007197893.tif 000003
【図２】
2007197893.tif 000004
【図３Ａ】
2007197893.tif 000005
【図３Ｂ】
2007197893.tif 000006